(57)【特許請求の範囲】
【請求項１】
長方形の厚板の全面に厚さ方向に貫通して高密度で配置された多数の挿通孔を有するベース板と、
前記ベース板の周縁側に取り付けられて、該ベース板を支持する支持台と、
前記挿通孔に摺動自在に挿通されて、前記ベース板の表面側の端部が山状に尖った当接端部になっており、裏面側の端部が止め部になっており、該当接端部と止め部によって挿通孔から抜け止めされた複数のピン部材と、
前記ベース板の表面側にて前記ピン部材の外周側に同軸状に嵌め合わされて前記当接端部と前記ベース板の挿通孔周囲に当接して、該ピン部材を当接端部方向に付勢する共に、該ピン部材の裏面側への突出長さを一定以下に規制するコイルばね材と、
前記ピン部材の当接端部側全体に被せられた弾性変形可能な薄い上面カバーと、
を設けたことを特徴とするクッション台。
【請求項２】
長方形の厚板の全面に厚さ方向に貫通して高密度で配置された多数の挿通孔を有するベース板と、
前記ベース板の周縁側に取り付けられて、該ベース板を支持する支持台と、
前記挿通孔に摺動自在に挿通されて、前記ベース板の表面側の端部が山状に尖った当接端部になっており、裏面側の端部が止め部になっており、該当接端部と止め部によって挿通孔から抜け止めされた複数のピン部材と、
前記ベース板の裏面側にて前記ピン部材の外周側に同軸状に嵌め合わされて、両端が前記止め部と前記ベース板の挿通孔周囲に固定されて、該ピン部材を前記当接端部方向に付勢するコイルばね材と、
前記ピン部材の当接端部側全体に被せられた弾性変形可能な薄い上面カバーと、
を設けたことを特徴とするクッション台。
【請求項３】
前記多数の挿通孔が、前記ベース板の縦横方向に沿ってそれぞれ等間隔で配置されて複数列にされており、さらに互いに隣接する列にある挿通孔同士は４５°ずれた位置に交互に配置されていることを特徴とする請求項１又は２に記載のクッション台。
【請求項４】
前記コイルばね材の弾性力の大きさを、前記ベース板の場所によって変更可能にしたことを特徴とする請求項１から３のいずれか１項に記載のクッション台。
【請求項５】
前記ベース板内の複数個所にて該ベース板に取り付けられて裏面側に延びた前記支持台と共に該ベース板を補強する補強部材を設けたことを特徴とする請求項１から４のいずれか１項に記載のクッション台。
【請求項６】
前記ピン部材を樹脂製としたことを特徴とする請求項１から５のいずれか１項に記載のクッション台。
【請求項７】
前記支持台の前記ベース板の裏面側内の空間全体が、弾性支持材で充填されたことを特徴とする請求項１から６のいずれか１項に記載のクッション台。
【発明の詳細な説明】
【技術分野】
【０００１】
本発明は、マットレス、寝台、椅子の座部や背凭れ、枕などに利用されるクッション台に関する。
【背景技術】
【０００２】
この種のクッション台としては、例えば特許文献１に示すように、コイルスプリングを収容した多数の筒状の袋体を立設配置し、これら袋体を上下から厚みのあるポリエステル樹脂ファイバ製やその他の樹脂ファイバなどからなる上部弾性材と柔軟性の大きいウレタンフォームなどからなる下部弾性材で挟んだマットレス装置が知られている。しかし、このマットレス装置は、コイルスプリング自体の径が大きくなっており、さらにコイルスプリングの上に厚みの厚い上部弾性材がある構造であり、その上に仰向けに横たわった体全体を受け止めるように大まかに変形するようになっている。そのため、このマットレス装置では、体の臀部等の突出した部分とその間の凹んだ部分に応じた細かい変形が行われるというものではない。その結果、上記マットレス装置の上面と体の凹凸部分の当りが均等にはならなくなることにより、体に加わる負荷が大きくなるため、快適な寝心地が妨げられるおそれがある。
【先行技術文献】
【特許文献】
【０００３】
【特許文献１】特開平１０−２２９９２９号公報
【発明の概要】
【発明が解決しようとする課題】
【０００４】
本発明は、上記問題を解決しようとするもので、体を預けたときに体の面に合わせてスムーズに変形すると共に、適度な反発力も備えた長期にわたって安定した性能を維持できるクッション台を提供することを目的とする。
【課題を解決するための手段】
【０００５】
上記目的を達成するために、本発明の構成上の特徴は、長方形の厚板の全面に厚さ方向に貫通して高密度で配置された多数の挿通孔を有するベース板と、ベース板の周縁側に取り付けられて、ベース板を支持する支持台と、挿通孔に摺動自在に挿通されて、ベース板の表面側の端部が山状に尖った当接端部になっており、裏面側の端部が止め部になっており、当接端部と止め部によって挿通孔から抜け止めされた複数のピン部材と、ベース板の表面側にてピン部材の外周側に同軸状に嵌め合わされて当接端部とベース板の挿通孔周囲に当接して、ピン部材を当接端部方向に付勢する共に、ピン部材の裏面側への突出長さを一定以下に規制するコイルばね材と、ピン部材の当接端部側全体に被せられた弾性変形可能な薄い上面カバーと、を設けたことにある。
【０００６】
上記のように構成した本発明においては、クッション台の表面側に体を預けることにより、薄い上面カバーを介して高密度で配置されたピン部材の当接端部に体が当たり、ピン部材がコイルばね材によって付勢されて上下に変位する。多数のコイルばね材が、クッション台に接触する体の凹凸部分に応じて適正に弾性変形することにより、多数のピン部材の他端側がベース板の裏面側に突出し、またその反発力により表面側に戻ろうとする。その結果、本発明においては、体の凹凸状態に応じてクッション台表面が適正に変形するため、体が適正な状態でクッション台に受け止められて、快適な休息状態が確保される。また、コイルばね材が収縮しきった状態でピン部材の変形が止められるため、体の過大な変形も確実に止められる。さらに、ピン部材が沈みきった箇所では、その部分のピン部材の山状の当接端部が体に強く当たることにより、指圧効果も得られる。
【０００７】
本発明の他の特徴は、長方形の厚板の全面に厚さ方向に貫通して高密度で配置された多数の挿通孔を有するベース板と、ベース板の周縁側に取り付けられて、ベース板を支持する支持台と、挿通孔に摺動自在に挿通されて、ベース板の表面側の端部が山状に尖った当接端部になっており、裏面側の端部が止め部になっており、当接端部と止め部によって挿通孔から抜け止めされた複数のピン部材と、ベース板の裏面側にてピン部材の外周側に同軸状に嵌め合わされて、両端が止め部とベース板の挿通孔周囲に固定されて、ピン部材を当接端部方向に付勢するコイルばね材と、ピン部材の当接端部側全体に被せられた弾性変形可能な薄い上面カバーと、を設けたことにある。
【０００８】
他の特徴においては、クッション台に接触する体の凹凸部分に応じて、ベース板の下方に設けたコイルばね材が上方にコイルばね材を設けた場合と同様に適正に弾性変形することにより、高密度で配置された多数のピン部材の他端側がベース板の裏面側に突出し、また表面側に戻ろうとするように適正に弾性変形する。その結果、他の特徴においても、上述したと同様に、体の凹凸状態に応じてクッション台表面が適正に変形するため、体が適正な状態でクッション台に受け止められ、快適な休息状態が確保される。
【０００９】
また、本発明において、多数の挿通孔が、ベース板の縦横方向に沿って等間隔で配置されて複数列にされており、さらに互いに隣接する列にある挿通孔同士は４５°ずれた位置に交互に配置されていることが好ましい。このように挿通孔同士を４５°ずれた位置に交互に配置することにより、クッション台に当接する体の複雑な凹凸状態に応じてピン部材の上下変動がより適正に行われ、上述したようなクッション台による体を受け止める作用効果がより適正に発揮される。
【００１０】
また、本発明において、コイルばね材の弾性力の大きさを、ベース板の場所によって変更可能にすることができる。これにより、クッション台を使用する使用者の体の状態に応じてコイルばね材の弾性力の大きさを調節できるため、使用者に応じた適正なクッション台を提供できる。
【００１１】
また、本発明において、ベース板内の複数個所にてベース板に取り付けられて裏面側に延びた支持台と共にベース板を補強する補強部材を設けることができる。これにより、面積の広いベース板が、周縁側の支持台に加えて内側の複数個所にて補強部材によって補強されるため、重い重量の体を支え続けてもベース板の変形が抑えられて長期の使用が可能になる。
【００１２】
また、本発明において、ピン部材を樹脂製とすることができる。これにより、金属等の他の材料に比べて多数のピン部材の材料コストを安価にできると共に、量産もよいため、ピン部材の価格を安価にでき、その結果、クッション台の価格も安価にできる。また、多数のピン部材を軽量化できるため、クッション台全体も大幅に軽量化できる。
【００１３】
また、本発明において、支持台のベース板の裏面側内の空間全体が、弾性支持材で充填されてもよい。これにより、ピン部材が表面側でコイルばね材によって支持されると共に、裏面側で弾性支持材でも受け止められるため、ピン部材の上下変動の一層なめらかさが得られ、クッション台への体の接触状態がさらに滑らかにされる。
【発明の効果】
【００１４】
本発明においては、クッション台の表面側に体を預けることにより、薄い上面カバーを介して高密度で配置されたピン部材の当接端部に体が当たり、ピン部材がコイルばね材の弾性変形によって付勢されて上下に変位する。その結果、本発明においては、体の凹凸状態に応じてクッション台表面が適正に変形するため、体が適正な状態でクッション台に受け止められ、快適な休息状態が確保される。また、本発明によれば、コイルばね材が収縮しきった状態でピン部材の変形が止められるため、体の過大な変形も確実に止められ、さらに、ピン部材が沈みきった箇所では、その部分のピン部材の凸曲面状の頭部が体に強く当たることによる指圧効果も得られる。
【図面の簡単な説明】
【００１５】
【図１】本発明の実施例１である寝台を概略的に示す正面図である。
【図２】同寝台の上面カバーを取り除いた状態を示す平面図である。
【図３】同寝台の要部の一態様を示す拡大断面図である。
【図４】同寝台の要部の他の態様を示す拡大断面図である。
【図５】ピン部材を示す拡大一部破断面図である。
【図６】同寝台の補強部材による支持部分を示す拡大断面図である。
【図７】同寝台の動作の態様を示す断面図である。
【図８】実施例２である寝台の要部を示す拡大断面図である。
【図９】実施例３である寝台の要部の一態様を示す拡大断面図である。
【図１０】同寝台の要部の他の態様を示す拡大断面図である。
【図１１】ピン部材の変形例を示す拡大一部破断面図である。
【図１２】実施例４である寝台を概略的に示した平面図である。
【発明を実施するための形態】
【００１６】
以下、本発明の一実施例について図面を用いて説明する。図１、図２は実施例１であるクッション台を寝台として用いた場合を正面図及び平面図（上面カバーを除く）により示し、図３、図４は寝台の要部の態様を拡大断面図により示したものである。
【００１７】
寝台１０は、長方形の木製の厚板であるベース板１１を有している。ベース板１１は、その全面に厚さ方向に貫通して高密度で配設された多数の挿通孔１２を有している。複数の挿通孔１２は、ベース板１１の幅方向（図２の上下方向）の両端間に中心間が一定の間隔ｔで配列されて縦列Ｐｋ（ｋ＝１〜ｎ）をなしている。縦列Ｐｋは、長手方向の両端間に中心間が一定の間隔ｔ／２でｎ本配列されている。縦列Ｐｋのうち、図１に示す長手方向の両側を含めた奇数列が幅方向の配置も揃えられており、偶数列が奇数列に対して幅方向にｔ／２ずつずれており、幅方向の両側に１個ずつはみ出している。即ち、偶数列と奇数列の挿通孔１２はベース板１１の長手方向に対して互いに４５°斜めにずれた位置に配置された関係になっている。なお、この縦列Ｐｋの関係については、これと直角の横列についてみても同様の関係となっている。
【００１８】
各挿通孔１２には、ピン部材１４が挿通孔１２との間にわずかの隙間を保って摺動自在に挿通されている。ピン部材１４は、図５に示すように、樹脂製のボルト１５とその先端に螺着される当接端部である円盤状の当接部材１６とを設けている。ボルト１５は、基部の一端が半球形状の頭部１５ａで、他端側がねじ溝１５ｂになっている。ボルト１５の基部外径は２〜１０ｍｍの範囲である。基部外径が２ｍｍより小さいとボルト１５の十分な強度が確保されず、また１０ｍｍより大きいと重量が大きくなりすぎる。当接部材１６は、円盤状の一表面側が山状に膨らんだ円盤部１７と、その軸方向内側に同軸状に取り付けられた短い軸部１８とを一体で設けており、軸部１８の中心に軸方向に貫通したねじ穴１８ａを設けており、ねじ穴１８ａにボルト１５がねじ溝１５ｂにて螺着されている。ピン部材１４は、ボルト１５をベース板１１の下側から挿通孔１２に差し込んで、突出したねじ溝１５ｂに当接部材１６を螺着することによりベース板１１に取り付けられる。
【００１９】
当接部材１６の外径は１０〜３５ｍｍである。外径が１０ｍｍより小さいと体に対する当りが強くなりすぎ、また３５ｍｍより大きくなると大きすぎて体の凹凸の変化に応じた追従が困難になる。ボルト１５にはゴム弾性体製の円環状薄板である一対の緩衝板材１９が中心孔にて緊密状態で挿嵌されており、頭部１５ａに当接した状態で配設されている。上述した挿通孔１２間の間隔ｔについては、当接部材１６の外径に応じて決められ、隣接する当接部材１６が重なり合わないように、また離れすぎないように適宜決められる。以上のように、ピン部材１４は、ベース板１１の全面に従来の寝台にはない非常な高密度で配設される。
【００２０】
ボルト１５のベース板１１上面から突出した部分には、コイルばね材２１が伸縮自在に巻装されており、長手方向の両端が当接部材１６とベース板１１上面に当接している。これにより、コイルばね材２１は、図３の奇数列に示すように、その弾性力によってピン部材１４を上方に向けて付勢しており、ピン部材１４は上方に向けて持ち上げられ、ボルト１５の頭部１５ａが、ベース板１１の下面側に緩衝板材１９を介して当接した状態になっている。コイルばね材２１の長さは３０〜１５０ｍｍである。長さが３０ｍｍより小さいと体の凹凸状態に対応しきれなく、また１５０ｍｍより大きいと体の沈み込みが大きくなりすぎて不安定になる。また、コイルばね材２１は収縮による最短長さが１０〜５０ｍｍであり、図４の偶数列に示すように、収縮しきった状態がピン部材１４の下降限界となり、全体長さに応じたものである。コイルばね材２１の両端側表面には、当接部材１６及びベース板１１との緩衝のためにゴム材がコーティングされている。
【００２１】
ベース板１１下面の周縁には長方形の木製の枠部材２２が固定されている。枠部材２２は、図４に示すように、下端がピン部材１４の下降限界位置での下端よりわずかに長くなっている。枠部材２２の下端には、枠部材２２と共に支持台を構成する木製の底板２３が取り付けられている。ただし、必要に応じて底板を省くことも可能である。ピン部材１４がコイルばね材２１に付勢されて伸びきった状態の頭部上端全体には、柔軟な繊維製の薄い上面カバー２４が被せられており、その周縁がベース板１１の側部に被せて固定されている。また、ベース板１１内の予め規定した複数個所には、図６に示すように、ねじ溝を有する取付孔１３がベース板１１を貫通して設けられており、取付孔１３には補強部材２５が取り付けられている。補強部材２５は、丸棒２６の先端側にねじ２７を有するボルトであり、ベース板１１の下面側から取付孔１３に高さ調節可能に螺合されており、頭部２８が底板２３に接触した状態で取り付けられている。
【００２２】
上記構成の実施例１においては、寝台１０の表面側に体を寝かせることにより、体が薄い上面カバー２４を介してベース板１１全面に非常な高密度で配置されてコイルばね材２１によって強く付勢された多数のピン部材１４の当接部材１６に当接する。これにより、図７に示すように、寝台１０に接触する体の凹凸部分に応じて非常に多数のコイルばね材２１が適正に弾性変形することにより、多数のピン部材１４の他端側がベース板１１の下面側に突出し、また表面側に戻ろうとするように変形する。その際、コイルばね材２１の端部がゴムコーティングされていることにより、ピン部材１４の当接部材１６及びベース板１１上面とコイルばね材２１との接触による異音の発生が抑えられ、また頭部１５ａとベース板１１との接触による異音の発生が緩衝板材１９により抑えられる。その結果、実施例１においては、体の凹凸状態に応じて寝台１０表面が適正に変形するため、体が適正な状態で寝台１０に受け止められることにより、快適な休息状態が確保される。また、コイルばね材２１が収縮しきった状態でピン部材１４の変形が止められるため、体の過大な変形も確実に止められる。さらに、ピン部材１４が沈みきった箇所では、その部分のピン部材１４の山状の当接部材１６が体に強く当たることにより、指圧効果も得られる。
【００２３】
また、本実施例１においては、各列間で挿通孔同士を４５°ずれた位置に交互に配置することにより、寝台１０に当接する体の複雑な凹凸状態に応じてピン部材１４の上下変動がより適正に行われ、上述したような寝台１０による体を受け止める作用効果がより適正に発揮される。さらに、実施例１においては、面積の広いベース板１１が、周縁側の枠部材２２に加えて内側の複数個所にて補強部材２５によって補強されるため、重い重量の体を支え続けても変形することなく長期の使用が可能になる。また、実施例１においては、ピン部材１４を樹脂製としたことにより、他の材料に比べて安価にできると共に、量産化も容易であるため、寝台１０の価格も安価にできる。また、多数のピン部材１４を軽量化できるため、寝台１０全体も大幅に軽量化できる。
【００２４】
つぎに、上記実施例２について図８により説明する。
実施例２においては、上記実施例１のベース板１１の裏面側の枠部材内の空間全体を、ゴム弾性体製の弾性支持材２９で充填したことにあり、その他の構成については実施例１と同様である。これにより、実施例２においては、ピン部材１４が表面側でコイルばね材２１によって支持されると共に、裏面側で弾性支持材２９によっても受け止められるため、ピン部材１４の上下変動が一層滑らかに行われ、寝台１０への体に対する接触状態がさらに滑らかにされる。なお、弾性支持材２９については、ゴム弾性体に限らずエラストマー、ウレタン等他の弾性材料でもよく、さらには内部に空気や液体を封入した平坦な袋状のものであってもよい。
【００２５】
つぎに、上記実施例３について図９、図１０により説明する。
実施例３の寝台３０は、上記実施例１のようにピン部材１４をベース板１１の表面側でコイルばね材２１により支持する代わりに、ピン部材１４と同様の構成のピン部材３４をベース板３１の裏面側からコイルばね材３９により支持するようにしたものである。金属製のベース板３１の挿通孔３２にはピン部材３４が挿通孔３２との間にわずかの隙間を保って摺動自在に挿通されている。コイルばね材３９は上端がベース板３１下面の挿通孔３２周囲に溶接等により固定されており、下端がピン部材３４のボルト３５の頭部３５ａに溶接等により固定されている。コイルばね材３９は、収縮した状態でピン部材３４を強い弾性力により上方に向けて付勢している。ベース板３１上面の挿通孔３２周囲には所定長さの円筒形のストッパ４１が固定されている。ストッパ４１の高さは、コイルばね材３９がピン部材３４から力を受けて一杯に伸びきった状態でピン部材３４の当接部材３６が当接し、コイルばね材３９のそれ以上の伸びを抑えている。寝台３０のその他の構成については、実施例１の寝台１０と同様である。
【００２６】
上記構成の実施例３においては、寝台３０が使用されていない状態では、図９の奇数列に示すように、コイルばね材３９が収縮しきった状態でピン部材３４を上方に向けて付勢しているが、寝台３０に体が横たえられると、ピン部材３４に押されてコイルばね材３９が伸びるようになる。図１０の偶数列に示すように、コイルばね材３９が最大限に伸びきったときに、ピン部材３４の当接部材３６がストッパ４１に当接し、コイルばね材３９のそれ以上の伸びが抑えられる。このようなコイルばね材３９の伸縮によるピン部材３４の上下動により、体が寝台３０に適正に受け止められることにより、実施例３においても実施例１と同様の効果が得られる。実施例３においては、ストッパ４１を設ける代わりに、頭部３６を直接ベース板３１に当接させるようにしてもよい。また、実施例３においても、上記実施例２に示した弾性支持材２９を適用することができる。
【００２７】
つぎに、上記ピン部材１４の変形例について図１１により説明する。ピン部材４４は、樹脂製の棒状部４５とその先端に取り付けられる当接端部である円盤状の当接部材４６とを設けている。棒状部４５は、基部の一端が半球形状の頭部４５ａになっており、他端側に球状のボール部４５ｂが突出して設けられている。当接部材４６は、円盤状の一表面側が山状に膨らんだ円盤部４７と、その軸方向内側に同軸状に取り付けられた短い円筒形の軸部４８とを一体で設けている。軸部４８は、他表面側から凹んで円形に開口している球状の凹部４９を設けており、開口を中心として径方向にわずかに弾性変形可能になっている。ピン部材４４は、棒状部４５をベース板１１の下側から挿通孔１２に差し込んで、先端のボール部４５ｂを当接部材４６の凹部４９に圧入することによりボール部４５ｂが凹部４９にワンタッチで係止されて当接部材４６に固定される。このように、ピン部材４４では、棒状部４５と当接部材４６の連結がワンタッチで容易に行われる。
【００２８】
つぎに、上記実施例４について図１２により説明する。
実施例４は、上記各実施例のように寝台１０の全面にピン部材１４を配設したことに代えて、寝台５０の一部の必要な範囲にのみピン部材を配設するようにしたことである。例えば、図１２に示すように、寝台５０（縦１９００ｍｍ×横９００ｍｍ）の頭部側と両側部を除く中央領域に上記寝台１０と同一構成のクッション台部５１（縦１６００ｍｍ×横５００ｍｍ）を配設し、頭部側と両側部を合わせたコ字状の外側部５２として通常マットレスに用いられるクッション材を用いるようにすることができる。これにより、実施例４によれば、高価なクッション台部５１の配置領域を、使用する人の体に合わせた必要部分とすることができるため、クッション台部５１による効果を享受しつつ、寝台５０のコストを低減することができる。
【００２９】
なお、上記各実施例においては、コイルばね材の弾性力の強さは寝台内全体で均一であるが、これに限らず、寝台内の領域に応じてコイルばね材の弾性力の強さを変えることができる。これにより、寝台を使用する使用者の体の特定の部分に応じてコイルばね材の弾性力の大きさを調節できるため、使用者の状態に応じた適正な寝台を提供できる。また、上記各実施例においては、ベース板の材質については木製となっているが、アルミニウム等の金属製やセラミック製でもよく、また木と金属あるいは他の材質を組み合わせたものであってもよい。また、上記各実施例においては、ピン部材は樹脂製となっているが、金属製であってもよい。
【００３０】
また、上記各実施例においては、偶数列と奇数列の挿通孔１２はベース板１１の長手方向に対して４５°斜め位置に配置された状態となっていが、これに限らず、互いに平行であってもよく、互いの配列のピッチを変えることも可能である。さらに、ベース板の形状についても、裏面側は必ずしも平坦である必要はなく、凹凸状であってもよい。また、上記実施例においては、寝台は通常の平板状のマットレスのような構成となっているが、ベッドのように所定高さの台に寝台１０を載せて使用することもできる。また、上記各実施例においては、補強部材２５は、ベース板１１を貫通して設けた取付孔１３に固定されているが、これに代えて、ベース板１１の裏面側にねじ穴を有するナット部材を取り付け、これに補強部材２５を取り付けるようにしてもよい。
【００３１】
なお、上記各実施例においては、クッション台を寝台やマットレス等の寝具として用いているが、これに限らず、クッション台を椅子や座椅子の座部や背凭れ、座布団、枕等にも利用することができる。その他、上記実施例に示した寝台については一例であり、本発明の趣旨を逸脱しない範囲において種々変更して実施することができる。
【符号の説明】
【００３２】
１０…寝台、１１…ベース板、１２…挿通孔、１４…ピン部材、１６…当接部材、２１…コイルばね材、２２…枠部材、２４…上面カバー、２５…補強部材、２９…弾性支持材、３０…寝台、３１…ベース板、３２…挿通孔、３４…ピン部材、３９…コイルばね材、４４…ピン部材。
【図１】
0005363439.tif 000002
【図２】
0005363439.tif 000003
【図３】
0005363439.tif 000004
【図４】
0005363439.tif 000005
【図５】
0005363439.tif 000006
【図６】
0005363439.tif 000007
【図７】
0005363439.tif 000008
【図８】
0005363439.tif 000009
【図９】
0005363439.tif 000010
【図１０】
0005363439.tif 000011
【図１１】
0005363439.tif 000012
【図１２】
0005363439.tif 000013